(57)【要約】【課題】１台の計量検査機でもって、従来より小秤量から大秤量にわたる多種の計量器の検査ができるようにする。【解決手段】この計量検査機（２０）は、連結部材（４０）を用いて基準分銅（３０ｃ−３０ｈ）を縦列に連結した２つの基準分銅群（Ｂ１、Ｂ２）を備え、下側にある軽量な基準分銅から計量器に搭載する。軽量な基準分銅は重さに応じて小型に成形され、各基準分銅（３０ｄ）は直下にある小型の基準分銅（３０ｃ）を収容する凹部（６０）が形成される。この凹部の天井には吊下用の係止孔（４８）が形成され、この係止孔には、小型の基準分銅（３０ｃ）上に固定された連結部材（４０）の頭部（３８）が係止される。小型の基準分銅は真上の基準分銅の凹部に収容されつつ、ともに計量器（Ａ）に搭載される。【選択図】　　図１
2004069538.tif 000002
【特許請求の範囲】
【請求項１】
連結部材を用いて基準分銅を縦列に連結した基準分銅群を備え、下側にある軽量な基準分銅から計量器に搭載する計量検査機において、
前記した軽量な基準分銅は重さに応じて小型に成形し、
各基準分銅は直下にある小型の基準分銅を収容する凹部が形成されるとともに、該凹部の天井には吊下用の係止孔が形成され、
前記連結部材は前記小型の基準分銅上に固定されつつ、前記係止孔に係止する頭部が設けられ、
小型の基準分銅は真上の基準分銅の凹部に収容されつつ、ともに計量器に搭載することを特徴とする計量検査機。
【請求項２】
連結部材を用いて基準分銅を縦列に連結した基準分銅群を備え、下側の基準分銅から計量器に搭載する計量検査機において、
前記基準分銅群は、重量用の第１基準分銅群と軽量用の第２基準分銅群とが別個に配置され、
両基準分銅群は軽い基準分銅ほど下段に配置され、
搭載されるべき基準分銅が両基準分銅群から選択されることを特徴とする計量検査機。
【請求項３】
請求項１、２記載の連結部材は全体が皿ビス状であって、断面「逆台形状」の頭部が、基準分銅に設けられた断面「逆台形状」の係止孔の斜面に係止し、各基準分銅が同一軸の線上にあることを特徴とする請求項１又は請求項２記載の計量検査機。
【発明の詳細な説明】
【０００１】
【発明の属する技術分野】
本発明は、多種の計量器に合う基準分銅を搭載できる計量検査機に関する。
【０００２】
【従来の技術】
従来の計量検査機は、図３に示すように、基準分銅１、２ａ、２ｂの上下に連結部材を設けて各基準分銅を縦列に配置し、計量器Ａへの搭載は下段側の基準分銅から選択して、順次搭載するようになっている（実公昭５８−８３１号公報照）。
【０００３】
これらの基準分銅１、２ａ、２ｂは、耐腐食性、非変形性が要求されており、図３では搭載時に位置ずれしないように外形が同一に形成されている。
【０００４】
また、連結手段は図４に示すように、各基準分銅１の下面に吊下用の係止孔１１を設け、かつ、各基準分銅１上に断面「Ｔ」字形の突起１０を固定し、この突起１０の頭部を前記係止孔１１へ挿入することにより、各基準分銅が相互に連結する。
【０００５】
最下段にある基準分銅２ｂの搭載は、これを計量器Ａに搭載した後に、直上の基準分銅２ａが基準分銅２ｂに乗載しないように少しだけ下動し、基準分銅２ｂ内の係止孔１１内にある基準分銅２ａの突起１０を浮かせることによってなされる。
【０００６】
すなわち、基準分銅２ａから上の基準分銅は計量検査機本体に支持され、基準分銅２ｂのみを計量器Ａに搭載する。
【０００７】
計量器の検査は、基準分銅２ｂの重さと計量値とを比較し、誤差が許容範囲内にあるかで判定される。
【０００８】
近年の計量器、例えば、デジタル式秤では、５ｇの計量用から２００ｋｇの重量用まで、多種多様なシリーズ製品が提供されており、計量検査機もこれらのシリーズ製品に使用できるものが待望されている。
【０００９】
【発明が解決しようとする課題】
前述の計量検査機では、基準分銅の重さを係止孔１１の大きさで調整し、下側の基準分銅の上に上側の基準分銅が加わる構成であるから、剛性に乏しい軽い基準分銅を重い基準分銅に連結できず、軽量用、中量用、重量用など、秤量に応じた数種類の軽量検査機を必要とする。
【００１０】
また、前述した軽量検査機の連結手段では、基準分銅に横ぶれが生じ易く、突起１０の摩耗を招いたり、計量器Ａへの搭載作業を慎重に行なわなければならないとい問題がある。
【００１１】
本発明は、これらの課題を解決することを目的としてなされたものであり、一つは格別に軽い基準分銅を支障なく連結できるようにすることと、二つは搭載する基準分銅の組み合わせをより広げること、三つは基準分銅の横ぶれが極小となる軽量検査機を提供することにある。
【００１２】
【課題を解決するための手段】
前記一つ目の課題に対し、請求項１記載の発明では、軽い基準分銅ほど小型に成形するとともに、直上となる基準分銅の下面に直下の基準分銅を収容する凹部を設け、基準分銅上に基準分銅が搭載しないようにしたものである。
【００１３】
前記搭載の回避により、小型の基準分銅は変形する虞がなく、所望の軽い基準分銅を連結して、従来より多用な計量器に使用することができる。
【００１４】
前記二つ目の課題に対し、請求項２記載の発明は、計量器の秤量に応じた基準分銅群を個別に設けたものであり、両基準分銅群の中から搭載すべき基準分銅を選択できるようにし、請求項１に記載の発明よりも多用な計量器に使用できる。
【００１５】
前記三つ目の課題に対して、請求項３記載の発明は、搭載する基準分銅の横ぶれを抑制するために、連結部材の頭部を断面「逆台形状」に形成するとともに、該頭部を挿入する基準分銅の係止孔に斜面を設け、頭部を斜面に接触させる。この構成によって、基準分銅には、基準分銅の支点となる突起の遊動を少なくすることによって、前記課題を達成する。
【００１６】
【発明の実施の形態】
以下、本発明の好ましい実施の形態について、添付した図１及び図２を参照して詳細に説明する。
【００１７】
図１は、本発明の一実施例に係る計量検査機の概略を示す図である。図２は、前記計量検査機において、複数の基準分銅（以下、単に「分銅」と記載する。）が連結部材により縦列に連結された基準分銅群（以下、単に「分銅群」と記載する。）の細部構造を示す縦断面図である。
【００１８】
本実施例の計量検査機２０は、フレーム２２の上に２つのステップモータ２４ａ、２４ｂを備えている。各ステップモータ２４ａ、２４ｂにはジャッキ２６ａ、２６ｂが連結され、各ジャッキ２６ａ、２６ｂにはロッド２５ａ、２５ｂが螺合し、各ステップモータ２４ａ、２４ｂの回転によりロッド２５ａ、２５ｂを昇降できるようにしてある。ステップモータとは、駆動パルスが１つ入力される度に一定角度回転し、逆極性の駆動パルスが１つ入力される度に一定角度逆転するものである。
【００１９】
各ロッド２５ａ、２５ｂの下端には、分銅吊り具２７、２９が連結され、一方の分銅吊り具２７には、複数の重い分銅３０ｅ−３０ｈを縦列連結した重量用の第１分銅群Ｂ１が吊り下げられている。これらの分銅３０ｅ−３０ｈは、上側ほど重く、下側ほど軽くされているが、同じ重量の分銅が含まれていてもよい。他方の分銅吊り具２９には、分銅群Ｂ１の最下段の分銅３０ｅよりも軽い分銅３０ｄと、この分銅３０ｄの下にさらに軽量小型の分銅３０ｃとを縦列接続した軽量用の第２分銅群Ｂ２を吊り下げている。これらの分銅群Ｂ１、Ｂ２の下に計量器Ａを置くための水平台２１が備えられる。
【００２０】
各分銅は、上面に逆台形状断面の頭部３８を有する連結部材４０が固定され、下面に連結部材４０の頭部３８が係合する逆台形状断面部分を有する係止孔４８が設けられる。各分銅は、連結部材４０と係止孔４８とのスライド可能な係止によって連結されるとともに、連結部材４０の頭部３８は、係止孔４８内をスライドすることにより浮動可能になっている。
【００２１】
ところで、分銅群Ｂ２においては、上段の分銅３０ｄの下面に凹部６０が設けられていて、この凹部６０の天井に、下段の分銅３０ｃの上面に固定された連結部材４０の頭部３８が係止する係止孔４８が設けられている。
【００２２】
この分銅群Ｂ２を降下させ、下段の分銅３０ｃを計量器Ａに搭載した後に、さらに分銅群Ｂ２を降下させていくと、下段の分銅３０ｃが上段の分銅３０ｄの凹部６０内に収容され、上段の３０ｄが計量器Ａの上面に直接当接する。このため、上段の大きく重い分銅３０ｄが下段の小さく軽い分銅３０ｃの上に載ることがない。
【００２３】
図１においては、各分銅群Ｂ１、Ｂ２に接続される分銅の数を、説明を簡単にするために実際よりも少なくしているが、実際には、分銅群Ｂ１は、連結部材４０の重量を含めて、下段側から５ｋｇの分銅を４個、１０ｋｇの分銅を４個、２０ｋｇの分銅を２個連結し、分銅群Ｂ２は、図２に示したように、連結部材の重量を含めて、下段側から５ｇ、４５ｇ、９５０ｇ、１ｋｇの４つの分銅６４、６２、３０ａ、３０ｂを縦列接続している。もちろん、各分銅群Ｂ１、Ｂ２に接続される分銅数は、検査する計量器の秤量によっては、これより多くしても、逆に少なくしてもよいし、各分銅の重量を変更してもよい。
【００２４】
次に、各分銅の細部構造について、図２に示した軽量用の分銅群Ｂ２の細部構造を示す縦断面図に基づいて説明する。重量用の分銅群Ｂ１の各分銅の構造も、軽量用の分銅群Ｂ２の分銅３０ｂとほぼ同じであるので、それらの説明は省略する。
【００２５】
分銅３０ｂは、上側部材３２と下側部材３４とをネジ３６によって結合している。分銅３０ｂの上側部材３２の上面には、逆台形状断面の頭部３８を有する連結部材４０が螺合されている。また、上側部材３２には、微調整重り挿入孔５０が設けられ、この挿入孔５０には、この挿入孔５０を塞ぐネジ５２が螺合されている。
【００２６】
分銅３０ｂの下側部材３４は、上面に開口した円孔４２と、この円孔４２と連続し、下面に開口した逆台形状断面のテーパ孔（斜面）４６とを有している。円孔４２の直径は連結部材４０の頭部３８の直径より大きく、テーパ孔４６の下部の直径は、連結部材４０の頭部３８の直径よりは小さくされる。そして、テーパ孔４６と円孔４２とから、連結部材４０の頭部３８を係止する係止孔４８が形成される。
【００２７】
分銅３０ｂの上側部材３２と下側部材３４とを結合する際には、下側の分銅３０ａの連結部材４０を、下側部材３４の係止孔４８に係合させた後に、上側部材３２と下側部材３４とをネジ３６で結合する。こうして、両分銅３０ａ、３０ｄを縦列に接続したとき、連結部材４０の頭部３８が、係止孔４８内をスライドして、テーパ孔４８から浮動可能になっている。
【００２８】
分銅吊り具２９も、基本的には分銅３０ｂと同様に構成されているので、この構造の説明は省略する。ただし、最上段の分銅３０ｂの連結部材４０を係止する係止孔２９ｅは、上側部材２９ａに形成された円孔２９ｃと、下側部材２９ｂに形成されたテーパ孔（斜面）２９ｄとから構成される。
【００２９】
この分銅吊り具２９を持ち上げると、２つの分銅３０ａ、３０ｂとの連結部分では、上側の分銅３０ｂの上動に伴い、下側の分銅３０ａの連結部材４０の頭部３８が、上側の分銅３０ｂのテーパ孔４６に当接して、下側の分銅３０も同時に持ち上げられる。逆に、分銅吊り具２９を降下させると、下側の分銅３０ａは計量器Ａに搭載され、その後、下側の分銅３０ａの連結部材４０の頭部３８が、上側の分銅３０ｂのテーパ孔４６から浮動して、両分銅３０ａ、３０ｂ間の連結が切れることになり、分銅３０ａ以下の分銅のみを計量器Ａに搭載することができる。
【００３０】
分銅３０ａは、下面に凹部６０が設けられていて、下段に接続される分銅６２全体を凹部６０内に収容できるようになっている。上側部材６６と下側部材６８とをネジ３６によって結合し、上側部材６６の上面には、逆台形状断面の頭部３８を有する連結部材４０が螺合され、上側部材６６の側面に微調整重り挿入孔５０と、これにネジ５２が螺合されることは、分銅３０ｂと同じである。ただし、細部構造は、次のようになっている。
【００３１】
分銅３０ａの上側部材６６の下面には円孔７０が開けられる。分銅３０ａの下側部材６８は、下面に下側の分銅６２全体を完全に収容できる凹部６０が設けられ、この凹部６０の天井６１に円孔７０と連続し、下面に開口した逆台形状断面のテーパ孔（斜面）７２が設けられる。円孔７０とテーパ孔７２とから、下段の分銅６２に固定された連結部材７４の頭部７６を係止する係止孔７８が形成される。
【００３２】
分銅６２は、図２に示されたように、上側部材８０と下側部材８２とをネジ３６によって結合している。上側部材８０は、扁平な円盤で、逆台形状断面の頭部７６を有する連結部材７４が上方から螺合されている。分銅６２の下側部材６８は、上面には円孔８４が開けられるとともに、下面に下側の分銅６４を完全に収容できる凹部９４が設けられ、この凹部９４の天井９６に、円孔８４と連続し下面に開口した逆台形状断面のテーパ孔（斜面）８６が設けられる。円孔８４とテーパ孔８６とから、下段の分銅６４に固定された連結部材８８の頭部９０を係止する係止孔９２が形成される。
【００３３】
最下段の分銅６４は、扁平な円盤で、連結部材８８が上方から螺合するだけの簡単な構造となっている。このため、この分銅６４は、製造が容易で特に軽量小型にすることができる。
【００３４】
この計量検査記２０は、ステップモータ２４ａ、２４ｂに駆動パルスを送るとともに、計量器Ａから重量信号を受取り、測定値が許容誤差の範囲内にあるかどうか調べ、検査結果を記録するとともに、ディスプレイに表示したり、印刷したりする計測制御部（パーソナルコンピュータ）８０を備えている。次に、計量器Ａを検査する際の計測制御部８０の働きについて説明する。
【００３５】
計量器Ａの検査は、通常、計量器Ａの秤量に応じて、次のように搭載する分銅重量の総和を変えて、６回の検査を行う。
2004069538.tif 000003
ここでは、秤量１２ｋｇの計量器Ａを例にして説明する。最初に、計量器Ａの電源をオンにすると、計量器Ａから機種識別信号が計測制御部８０に送られて来るので、計量器Ａの存在を確認するとともに、機種を識別する。
【００３６】
次に、分銅を全く搭載しない状態で、計量器Ａが正しく０ｇを表示しているかどうか、１回目の検査を行う。続いて、識別された機種に応じて、予め設定されている搭載すべき分銅を選択する。
【００３７】
次に、ステップモータ２４ｂに駆動パルスを送り、ステップモータ２４ｂを回転させて分銅群Ｂ２を徐々に下げていきながら、計量器Ａから送られて来る重量信号を監視する。すると、一番下段の分銅６４（５ｇ）が計量器Ａの上に当接し、続いて、分銅６４の連結部材８８の頭部９０が分銅６２の係止孔９２から浮動し、計量器Ａには一番下段の分銅６４のみが搭載される。このとき、計量器Ａから送られて来る重量信号は、分銅６４の重量分だけ急変し、分銅６４が計量器Ａに搭載されたことを知る。そこで、ステップモータ２４ｂを停止し、計量器Ａから送られて来る重量信号と、予め記憶している分銅６４の重量５ｇとを比較することにより、２回目の検査をする。
【００３８】
次に、再びステップモータ２４ｂに駆動パルスを送り、ステップモータ２４ｂを回転させて、分銅群Ｂ２を徐々に下げていきながら、計量器Ａから送られて来る重量信号を監視する。すると、分銅６４が分銅６２（４５ｇ）下面の凹部９４内に収容され、分銅６２の下面が計量器Ａの上に当接し、続いて、分銅６２の連結部材７４の頭部７６が分銅３０ａの係止孔７８から浮動し、計量器Ａには下から１、２段目の分銅６４、６２のみが搭載される。このとき、計量器Ａから送られて来る重量信号は、分銅６２の重量分だけ急変し、分銅６４及び６２が計量器Ａに搭載されたことを知る。
【００３９】
以下、同様に、ステップモータ２４ｂを回転させて、分銅群Ｂ２を徐々に下げていき、分銅３０ａ（９５０ｇ）及び３０ｂ（１ｋｇ）を計量器Ａに搭載すると、搭載された分銅重量の総和は５ｇ＋４５ｇ＋９５０ｇ＋１ｋｇ＝２ｋｇとなる。そこで、ステップモータ２４ｂを停止し、計量器Ａから送られて来る重量信号と、予め記憶している搭載した分銅の重量の総和２ｋｇとを比較することにより、３回目の検査をする。
【００４０】
次に、ステップモータ２４ｂを逆回転させて、分銅群Ｂ２を引き上げるとともに、ステップモータ２４ａを回転させて、分銅群Ｂ１を徐々に下げていき、分銅群Ｂ１の最下段の５ｋｇの分銅を計量器Ａに搭載して、４回目の検査を行う。
【００４１】
次に、５ｋｇの分銅を計量器Ａに搭載したまま、ステップモータ２４ｂを回転させて、分銅群Ｂ２を再び下げて、分銅群Ｂ２の全分銅６４、６２、３０ａ、３０ｂ（合計重量２ｋｇ）を計量器Ａに搭載すると、計量器Ａには合計７ｋｇの分銅が搭載される。そこで、計量器Ａの５回目の検査を行う。
【００４２】
次に、合計７ｋｇの分銅を計量器Ａに搭載したまま、ステップモータ２４ａを回転させて、分銅群Ｂ１を再び下げて、分銅群Ｂ１の下から２段目の分銅（５ｋｇ）を計量器Ａに搭載すると、計量器Ａには合計１２ｋｇの分銅が搭載される。そこで、計量器Ａの６回目の検査を行う。以上の無荷重から秤量までの６回の検査で、各測定値が許容誤差内であれば合格となる。
【００４３】
本実施例の計量検査機によれば、その他の秤量の計量器も同様に、無荷重から秤量までの６回の検査ができ、秤量１２ｋｇから秤量１０１ｋｇにわたる多種の計量器の検査が可能になる。
【００４４】
ここで、機種毎に計量器Ａの検査の前に、予め、各分銅群Ｂ１、Ｂ２を降下させて、検査すべき状態になるまでにステップモータ２４ａ、２４ｂに送った各駆動パルス数を記憶しておくと、計量器Ａを実際に検査をする際には、機種に応じて記憶した数の駆動パルスを両ステップモータ２４ａ、２４ｂに送ることにより、分銅群Ｂ１、Ｂ２を迅速に昇降させることができ、計量器Ａの検査時間の短縮を図ることができる。
【００４５】
本実施例の効果を列挙すると次のようなものである。（１）分銅３０ａは、計量器Ａに搭載される際、その下面に形成した凹部６０に下段に接続した分銅６４全体を完全に収容することにより、軽量小型の分銅６４の上に重い大形の分銅６０が載ることがない。したがって、軽量小型の分銅が変形して、分銅の位置ずれを生じさせ、検査不良を招くこともなくなるので、最下段に格別軽い分銅を接続することができ、１台の計量検査機で、従来より小秤量から大秤量にわたる多種の計量器の検査が可能になる。（２）重量用と軽量用の分銅群Ｂ１、Ｂ２を別個に備えたので、軽量小型の分銅の上に極端に重い大形の分銅が載ることがなくなり、前記（１）と同様に、１台の計量検査機で、従来より小秤量から大秤量にわたる多種の計量器の検査が可能になる。（３）重量用と軽量用の２つの分銅群Ｂ１、Ｂ２から計量器Ａに搭載する分銅を選択できるので、分銅の組み合わせがより多様化し、さらに多種の計量器の検査ができる。（４）分銅を２群に分けることにより、各分銅群Ｂ１、Ｂ２の分銅数が少なくなるので、従来より検査時間が短縮するうえ、各分銅群Ｂ１、Ｂ２の高さが短縮するので、分銅搭載時のバランスがよくなり、検査不良を招くことが少なくなる利点がある。（５）各分銅間の連結は、連結部材４０、７４、８８の逆台形状断面の頭部３８、７６、９０と係止孔４８、７８、９２の斜面との接触によるので、各分銅の横ぶれが抑制され、これにより、各分銅を計量器Ａへ静かに円滑に搭載でき、計量器Ａの測定値が短時間で得られ、検査時間の短縮が図れる。特に、横ぶれを起こし易い軽い分銅を搭載する場合に効果がある。
【００４６】
ところで、本発明は、前記実施例に限られるものではなく、種々の変更が可能である。たとえば、本実施例の計量検査機２０において、分銅の連結構造としては、図４に示したような従来の連結構造を用い、ステップモータ２４ａ、２４ｂの代わりに普通のモータを用いることも可能である。また、ある分銅３０ｄ、３０ａの凹部６０には、図１に示したように１つの分銅３０ｃのみを収容してもよいし、図２に示したように２つの分銅６２、６４を入れ子式に収容してもよいし、３つ以上の分銅を入れ子式に収容できるようにしてもよい。さらに、分銅群Ｂ１、Ｂ２の数は、前記実施例のように２つに限るものではなく、検査する計量器の秤量の範囲に応じて、３つ以上の分銅群を備えてもよいし、分銅群は１つのみとしてもよい。
【００４７】
【発明の効果】
以上の説明から明らかなように、請求項１に係る発明によれば、小型の基準分銅は真上の基準分銅の凹部に収容されつつ、ともに計量器に搭載されるので、軽量小型の分銅の上に重い大形の分銅が載ることがなくなり、これにより、軽量小型の分銅が変形して、基準分銅の位置ずれを生じさせ、検査不良を招くことがなくなる。したがって、従来よりも格別軽い分銅を連結することにより、１台の計量検査機で、従来より小秤量から大秤量にわたる多種の計量器の検査が可能になる。
【００４８】
請求項２に係る発明によれば、重量用と軽量用の分銅群を別個に備えたので、小型の基準分銅の上に極端に大形の基準分銅が載ることがなくなるので、請求項１に係る発明と同様に１台の計量検査機で多種の計量器の検査ができる。また、２つの分銅群から計量器に搭載する分銅を選択できるので、分銅の組み合わせがより多様化し、請求項１に係る発明よりもいっそう多種の計量器の検査ができる。さらに、各分銅群の分銅数が少なくなるので、検査時間が短縮するうえ、各分銅群の高さも短縮するので、分銅搭載時のバランスがよくなり、検査不良を招くことが少なくなる利点がある。
【００４９】
請求項３に係る発明によれば、さらに、各分銅間の連結は、連結部材の逆台形状断面の頭部と係止孔の斜面との接触によるので、各分銅の横ぶれが抑制され、これにより、各分銅を計量器Ａへ静かに円滑に搭載でき、計量器Ａの測定値が短時間で得られ、検査時間の短縮が図れる。特に、横ぶれを起こし易い軽い分銅を搭載する場合に効果がある。
【図面の簡単な説明】
【図１】本発明の一実施例に係る計量検査機の概略を示す図である。
【図２】前記計量検査機に用いられるの軽量用の分銅群の縦断面図である。
【図３】従来の計量検査機の概略を示す図である。
【図４】前記従来の計量検査機における分銅の縦断面図である。
【符号の説明】
２０　　　　　計量検査機
３０ａ−３０ｈ、６２、６４　　基準分銅
４０、７４、８８　　連結部材
３８、７６、９０　　頭部
４６、７２、８６　　テーパ孔（斜面）
４８、７８、９２　　係止孔
６０、９４　　凹部
６１、９６　　天井
Ａ　　　　　　計量器
Ｂ１　　　　　重量用の第１基準分銅群
Ｂ２　　　　　軽量用の第２基準分銅群
【図１】
2004069538.tif 000004
【図２】
2004069538.tif 000005
【図３】
2004069538.tif 000006
【図４】
2004069538.tif 000007